(57)【特許請求の範囲】
【請求項１】
出湯及び出湯停止などの湯沸かし機能部に動作指令をする電装基板を器体の下部一側の前面寄りに起立して備えた湯沸器において、
前記湯沸器は、上記電装基板の上面にバーナからの輻射熱を遮ぎるための遮熱板を備え、前記電装基板は、ケース内に収納配置されており、前記遮熱板は、前記電装基板を収納する前記ケースの前後幅と略同一幅の帯状板であり、かつ両端垂片および該両端垂片に設けられた係止用凸部を備えるとともに、前記ケースの上面に被せられるものであり、前記ケースは、上面両側に、前記遮熱板の前記係止用凸部と係合する係止用凹部を備え、前記係止用凸部と前記係止用凹部により構成された前記ケースの上面に対する前記遮熱板の脱着可能な位置決め保持手段を備えていることを特徴とする湯沸器。
【請求項２】
上記電装基板を収容するケースの上面と遮熱板との間に冷却用の空気層を形成する空隙を備えたことを特徴とする請求項１記載の湯沸器。
【請求項３】
前記電装基板と前記ケースは絶縁材を介して一体化されていることを特徴とする請求項１及び２記載の湯沸器。
【発明の詳細な説明】
【０００１】
【発明の属する技術分野】
この発明は湯沸器における電装基板の保護装置に関し、詳しくは、バーナからの輻射熱を遮ぎって電装基板に与える悪影響をなくした湯沸器に関する。
【０００２】
【従来の技術】
近年、薄型の湯沸器が主流となっており、その電装基板は器体の下部一側の前面寄りに起立して備えられているが、この電装基板の上面近くにバーナが設置されているため、バーナからの輻射熱で電装基板が耐熱温度をこえるおそれがある。
そこで、バーナからの輻射熱を防止するために従来より種々の遮熱手段を採っているが、一般には電装基板の上面に遮熱板をネジ止めにより取付けて遮熱している（以下従来例１という）ほか、電装基板の上面にテープ状のアルミ箔を貼り付けて遮熱している（以下従来例２という）。
【０００３】
【発明が解決しようとする課題】
しかしながら、上記従来例１の遮熱手段は、遮熱板と止めネジが必要であるため部品点数が多くなり、しかも、遮熱板の取り付け、取り外しにはドライバー等の工具を必要とし、極く狭い空間しかないので、遮熱板の取り付け、取り外しには多くの手間を要するなどの問題点があった。
また、上記従来例２の遮熱手段は、遮熱するためのアルミテープは高価であり、取り付け作業も面倒で、多くの時間がかかり、しかも、電装基板にアルミテープが密着しているにすぎないので充分な遮熱効果が得られないなどの問題点があった。
【０００４】
この発明の湯沸器における電装基板の保護装置は上記課題を解決し、遮熱板の脱着及び冷却用の空気層の形成を容易としてバーナからの輻射熱が効果的に遮断できる湯沸器を安価に提供することを目的としている。
【０００５】
【課題を解決するための手段】
上記課題を解決するこの発明の請求項１の湯沸器は、
出湯及び出湯停止などの湯沸かし機能部に動作指令をする電装基板を器体の下部一側の前面寄りに起立して備えた湯沸器において、
前記湯沸器は、上記電装基板の上面にバーナからの輻射熱を遮ぎるための遮熱板を備え、前記電装基板は、ケース内に収納配置されており、前記遮熱板は、前記電装基板を収納する前記ケースの前後幅と略同一幅の帯状板であり、かつ両端垂片および該両端垂片に設けられた係止用凸部を備えるとともに、前記ケースの上面に被せられるものであり、前記ケースは、上面両側に、前記遮熱板の前記係止用凸部と係合する係止用凹部を備え、前記係止用凸部と前記係止用凹部により構成された前記ケースの上面に対する前記遮熱板の脱着可能な位置決め保持手段を備えていることをを要旨とする。
【０００６】
上記課題を解決するこの発明の請求項２の湯沸器は、
上記請求項１の電装基板を収容するケースの上面と遮熱板との間に冷却用の空気層を形成する空隙を備えたことを要旨とする。
【０００７】
上記課題を解決するこの発明の請求項３の湯沸器は、
上記請求項１及び２において、前記電装基板と前記ケースは絶縁材を介して一体化されていることを要旨とする。
【０００８】
上記構成を有するこの発明の請求項１の湯沸器は、電装基板を収容するケースの上面に遮熱板を被せるだけでバーナからの輻射熱を効果的に遮ぎる。この結果、電装基板は遮熱板により保護され、また、電装基板を収容するケースに対し遮熱板が脱着自由となっているから、遮熱板の取り付け、取り外しは特別の工具等を用いることなく容易に行いうる。また、前記ケースの上面に対する前記遮熱板の脱着可能な位置決め保持手段を備えているので、電装基板を収容するケースの上面に遮熱板を被せると、電装基板に対し遮熱板は予め決められた所定の位置に保持される。
【０００９】
上記構成を有するこの発明の請求項２の湯沸器は、電装基板を収容するケースの上面と遮熱板との間に冷却用の空気層が形成される。この結果、バーナからの輻射熱の遮熱効果が増加される。
【００１０】
また、電装基板を収容するケースの上面に遮熱板を被せると、電装基板に対し遮熱板は予め決められた所定の位置に保持される。この結果、遮熱板が脱落したり、空気層を形成する空隙に狂いが生ずることはない。
【００１１】
【発明の実施の形態】
以上説明したこの発明の構成、作用を一層明らかにするために、以下にこの発明の湯沸器における電装基板の保護装置の好適な実施の形態の一例について図面を参照して詳細に説明する。
【００１２】
図面において、Ａは電装基板で、湯沸器の器体Ｂの下部一側の前面寄りに起立して備えられ、湯沸器の点火及び出湯、消火及び出湯停止などの湯沸かし機能部に電気的に動作指令を与えるほか、吹き消え、異常過熱時のガス制御指令などをするものであって、たとえば、基板１に高圧トランス２、コンデンサー３、トランジスター４、コネクター５等の実装部品を備えており、耐候性の向上と安全作動を保つためにポッティング処理が施されている。このポッティング処理は図示しないがケース６内に上記基板１を収納配置し、ケース６内に２液混合の絶縁材（ポッティング樹脂）を流し込んで基板１を絶縁材で包み込んで固める処理で、基板１とケース６は絶縁材を介して一体化される。
【００１３】
上記電装基板Ａの上面にはバーナ７からの輻射熱を遮ぎって電装基板を保護する遮熱板８を脱着自由に被せて位置決め保持手段Ｄにより保持するものであるが、図４及び図５に示されている遮熱板８は電装基板Ａのケース６の前後幅と略同一幅の帯状板を用いて両端垂片９、１０に係止用の凸部９ａ、１０ａを内方へ膨出形成し、後面側には遮熱板８の前方への移動（図５において左方への移動）を規制して位置決めするストッパー片１１を有する構成となっており、一方、上記遮熱板８が被せられる電装基板Ａのケース６の上面両側には、上記遮熱板８の両側の係止用凸部９ａ、１０ａがその上部の斜状面９ｂ、１０ｂを介して圧入係合される係止用の凹部１２、１３を備え、この係止用凹部１２、１３の後面側に上記係止用凸部９ａ、１０ａの側面が係合されて遮熱板８の後方への移動（図５において右方への移動）を規制して位置決めするストッパー１４、１５を有する構造となっている。なお、６ａは基板１を位置決めして載せる台座である。
【００１４】
上記構成において、電装基板Ａのケース６の上面に遮熱板８を上方から下方へ押し下げて被せると、遮熱板８の両側垂片９、１０の係止用凸部９ａ、１０ａがケース６の斜状面９ｂ、１０ｂを介してその復元力によりケース６の係止用凹部１２、１３に圧入係合されると同時にストッパー片１１と垂片９、１０の係止用凸部９ａ、１０ａとで前後方向への移動を規制するため電装基板Ａのケース６の上面に遮熱板８が所定の位置に位置決めされて被着固定され、バーナ７からの輻射熱を遮熱板８で遮ぎって電装基板Ａを保護する。このとき、遮熱板８の係止用凸部９ａ、１０ａが電装基板Ａのケース６の係止用の凹部１２、１３に係合され電装基板Ａに対する遮熱板８の上下位置も規制されるため、電装基板Ａのケース６の上面と遮熱板８との間に一定の空隙ａが形成できる。したがって、この空隙ａに冷却用の空気層が形成されて冷却効果を高める。
【００１５】
次に、図７に示されているように、遮熱板８の垂片９、１０に穿った係止孔１６、１７が電装基板Ａのケース６の上面両側に設けた係止凸起１８、１９に係脱する構造とすると、電装基板Ａに対する遮熱板８の前後左右及び上下の位置決めができるので、電装基板Ａのケース６の上面と遮熱板８との間の空隙ａも適切に形成できる。
また、図８に示されているように、電装基板Ａのケース６の上面に一定の高さの凸部２０を設け、遮熱板８を被せたときこの凸部２０により電装基板Ａのケース６の上面と遮熱板８との間の空隙ａが形成されるようにしてもよい。この場合、遮熱板８の左右への位置決めは両側垂片９、１０で行われるようになっている。
【００１６】
電装基板Ａのケース６の上面と遮熱板８との間に空隙を設けない場合は、たとえば、図６に示されているように、電装基板Ａのケース６の上面両側に遮熱板８の両側の係止用凸部９ａ、１０ａが引掛かる引掛け凸起２１、２２を設けて電装基板Ａのケース６の上面に遮熱板８を上方から下方へ押し下げて被せると、遮熱板８の係止用凸部９ａ、１０ａがケース６の斜状面９ｂ、１０ｂを介してその復元力によりケース６の引掛け凸起２１、２２に引掛って位置決め固定される。このとき、電装基板Ａのケース６の上面に遮熱板８が載って密接状態に被るものである。
【００１７】
上記器体Ｂは、図１〜図３に示されているように、バックカバー２３内に熱交換器２４、メインバーナ７、点滅器２５、操作ボタン２６、熱電対ＴＣ、点火ロッド２７等の湯沸かし機能部を備え、かつ、これらに接続する給水接続口２８、ガス接続口２９、出湯口３０及びこの出湯口３０に接続されたフレキシブル管３１の先端にキッチンシャワー３２を備えた構成となっており、この器体Ｂの前面にはフロントカバー３３が脱着可能に備えられ全体として薄型の元止式湯沸器となっている。なお、上記電装基板Ａは器体Ｂの下部一側に設置された乾電池ケースＣの上部にその下端を支持して備えられている。
【００１８】
以上この発明の実施の形態の一例について説明したが、この発明はこうした実施の形態に何等限定されるものではなく、この発明の要旨を逸脱しない範囲において種々なる形態で実施しうること勿論である。
たとえば、電装基板のケースの上面に対する遮熱板の脱着可能な位置決め保持手段は係止用の凹凸及びストッパーなど実施の形態で説明した以外の手段でも実施できること勿論である。
【００１９】
【発明の効果】
この発明の湯沸器は以上説明したような形態で実施され、以下に記載されるような効果を奏する。
【００２０】
この発明の請求項１の湯沸器によれば、電装基板を収容するケースの上面に遮熱板を被せるだけでバーナからの輻射熱を遮ぎるから、電装基板は遮熱板により効果的に保護され、電装基板が焼損したり、電気的トラブルが発生することはない。また、前記ケースの上面に対する前記遮熱板の脱着可能な位置決め保持手段を備えているので、電装基板を収容するケースの上面に遮熱板を被せるだけで、電装基板に対し遮熱板は予め決められた所定の位置に保持されセットされるから、遮熱板がみだりに脱落することがない。
また、電装基板のケースに対し遮熱板が脱着自由となっているから、遮熱板の取り付け、取り外しは特別の工具等を用いることなく容易に行える。したがって、メンテナンス時のように取付け状態下での作業が簡易に行え便利である。
【００２１】
この発明の請求項２の湯沸器によれば、電装基板を収容するケースの上面と遮熱板との間に冷却用の空気層が形成されるので、バーナからの輻射熱の遮熱効果は増加し、上記請求項１の奏する効果をさらに高めることができる。
【００２２】
電装基板を収容するケースの上面に遮熱板を被せるだけで、電装基板に対し遮熱板は予め決められた所定の位置に保持されセットされるから、遮熱板がみだりに脱落したり、空気層を形成する空隙に狂いが生ずることはなく、上記請求項１の奏する効果をより高めることができる。
【図面の簡単な説明】
【図１】  この発明の電装基板の保護装置を備えた湯沸器の一例を示した全体正面図である。
【図２】  その仰視図である。
【図３】  フロントカバーを取り外した器体の正面図である。
【図４】  電装基板だけの一部切欠正面図である。
【図５】  その一部の側面図である。
【図６】  空気層を設けない場合の要部だけの断面図である。
【図７】  異なる位置決め保持手段とした場合の要部だけの断面図である。
【図８】  異なる位置決め保持手段とした場合の要部だけの断面図である。
【符号の説明】
Ａ…電装基板
Ｂ…器体
７…バーナ
８…遮熱板
ａ…空気層用の空隙
Ｄ…遮熱板の位置決め保持手段
【図１】
0004002341.tif 000002
【図２】
0004002341.tif 000003
【図３】
0004002341.tif 000004
【図４】
0004002341.tif 000005
【図５】
0004002341.tif 000006
【図６】
0004002341.tif 000007
【図７】
0004002341.tif 000008
【図８】
0004002341.tif 000009